(57)【特許請求の範囲】
【請求項１】
便器と、前記便器の上面後部に載置したロータンクと、排便時の臭いを吸引し脱臭するファンと脱臭材と風洞を有する脱臭ユニットと、前記脱臭ユニットを載せるベースと、前記脱臭ユニットを覆うケースとを備え、前記ケース背面下方部を凸形状とし、吸引し脱臭した空気を前記凸形状の下に吹き出す吹出口を前記ベースに設け、前記吹出口は前記凸形状の背面より凹陥するように配置し、前記ベースの前記吹出口設置部分と前記便器の上面との間に第１の間隙を設け、前記凸形状の背面と前記ロータンク間に第２の隙間を設け、前記吹出口から吹出した空気を前記第１の間隙と前記第２の隙間を通して放出することを特徴とするトイレ装置。
【請求項２】
吹出口の角度を略４５°後方側とした請求項１に記載のトイレ装置。
【請求項３】
脱臭ユニットを局部の洗浄等を行う温水洗浄装置に設けた請求項１または２に記載のトイレ装置。
【発明の詳細な説明】
【技術分野】
【０００１】
本発明は脱臭吹き出しに特長を有するトイレ装置に関するものである。
【背景技術】
【０００２】
従来、この種のトイレ装置としては、排便時の臭いを吸引し脱臭するファン２斜めに配置し、ケーシング側面方向の斜め下を吹出口としているものがあった（例えば、特許文献１参照）。
【特許文献１】特開平１１−１３１５５４号公報
【発明の開示】
【発明が解決しようとする課題】
【０００３】
しかしながら、前記従来の構成では、ケーシング側面方向の斜め下が吹出口であるため、部屋暖房機能等が付加されるトイレ装置の場合、大体がケーシング側面にこの部屋暖房部等が設けられるため、十分な吹き出しが確保されず、この構成は適さないという課題を有していた。
【０００４】
本発明は、前記従来の課題を解決するもので、部屋暖房部等が設けられる場合でも吹き出しが十分行えるとともに、ロータンクからの手洗い等の散水が吹出口に侵入しない脱臭吹き出しを得るトイレ装置の提供を目的とする。
【課題を解決するための手段】
【０００５】
前記従来の課題を解決するために、本発明のトイレ装置は、便器と、前記便器の上面後部に載置したロータンクと、排便時の臭いを吸引し脱臭するファンと脱臭材と風洞を有する脱臭ユニットと、前記脱臭ユニットを載せるベースと、前記脱臭ユニットを覆うケースとを備え、前記ケース背面下方部を凸形状とし、吸引し脱臭した空気を前記凸形状の下に吹き出す吹出口を前記ベースに設け、前記吹出口は前記凸形状の背面より凹陥するように配置し、前記ベースの前記吹出口設置部分と前記便器の上面との間に第１の間隙を設け、前記凸形状の背面と前記ロータンク間に第２の隙間を設け、前記吹出口から吹出した空気を前記第１の間隙と前記第２の隙間を通して放出するものである。
【０００６】
これによって、ケース側面に部屋暖房部等が設けられても吹き出しが十分行えるとともに、ロータンクからの手洗い等の散水が吹出口に侵入しないものとするものである。
【発明の効果】
【０００７】
本発明のトイレ装置は、ケース側面に部屋暖房部等が設けられても吹き出しが十分行えるとともに、ロータンクからの手洗い等の散水が吹出口に侵入しないものとすることができる。
【発明を実施するための最良の形態】
【０００８】
第１の発明は、便器と、前記便器の上面後部に載置したロータンクと、排便時の臭いを吸引し脱臭するファンと脱臭材と風洞を有する脱臭ユニットと、前記脱臭ユニットを載せるベースと、前記脱臭ユニットを覆うケースとを備え、前記ケース背面下方部を凸形状とし、吸引し脱臭した空気を前記凸形状の下に吹き出す吹出口を前記ベースに設け、前記吹出口は前記凸形状の背面より凹陥するように配置し、前記ベースの前記吹出口設置部分と前記便器の上面との間に第１の間隙を設け、前記凸形状の背面と前記ロータンク間に第２の隙間を設け、前記吹出口から吹出した空気を前記第１の間隙と前記第２の隙間を通して放出することにより、ケース側面に部屋暖房部等が設けられても吹き出しはケース背面側に行われるため、十分な吹き出しが確保されるとともに、凸形状で手洗い等の散水はガードされ、この凸形状の下に吹出口があるため、散水はこの吹出口に侵入することはない。
【０００９】
第２の発明は、特に、第１の発明における吹出口を４５°後方側とすることにより、便器、ロータンクに影響を受けずに吹き出しが効率良く行える。
【００１０】
第３の発明は、特に、第１または第２の発明における凸形状、吹出し口、脱臭ユニットを局部等を洗浄する温水洗浄装置に設けることにより、ケース側面等を有効に活用し、新機能を付加し、商品進化を遂げているこの分野に適した構成とすることができる。
【００１１】
以下、本発明の実施の形態について、図面を参照しながら説明する。なお、この実施の形態によって本発明が限定されるものではない。
【００１２】
（実施の形態１）
図１〜図３は、本発明の実施の形態１におけるトイレ装置を示すものである。
【００１３】
図において、排便時の臭いを吸引するファン４と、その吸引された臭いを脱臭する脱臭材５と、これらファン４と脱臭材５の通風経路をつくる風洞６を有する脱臭ユニット７があり、この脱臭ユニット７がベース８の上に配設されている。そして、これら各機能部品類を覆い外観を形成するケース９の背面下方部が凸形状ａを成しており、この凸形状ａの下に吹出口１０が設けられている。また、便ふた１１はトイレ装置のケース９と便座１２を覆うことができるものであり、便器１３は脱臭ユニット７およびロータンク１４を装備している。
【００１４】
以上のように構成されたトイレ装置において、ケース９背面下方部の凸形状ａの下に吸引し脱臭した空気が吹き出され、図２、図３に示すように、ケース９側面に部屋暖房部ｃ等が設けられても、吹き出しはケース９背面側に行われる。さらに凸形状ａでロータンク１４での手洗い等の散水はガードされる。したがって、部屋暖房部ｃ等の付加機能が設けられる場合でも吹き出しが十分行えるとともに、手洗い等の散水が吹出口１０に侵入しないものを得ることができる。
【００１５】
また、本実施の形態では吹出口１０をベース８で形成することにより、吹き出し時に発生する風切音がケース９側に直接伝わらないため、静音化が図れる。
【００１６】
また、本実施の形態では脱臭ユニット７を局部の洗浄等を行う温水洗浄装置に設けることにより、ケース９側面等を有効に活用し、新機能を付加し、商品進化を遂げているこの分野に適した構成とすることができる。
【００１７】
（実施の形態２）
図４、図５は、本発明の実施の形態２におけるトイレ装置を示すものである。
【００１８】
本実施の形態において、実施の形態１と異なるのは、吹出口１０の角度を略４５°後方側としたところである。なお、実施の形態１と同一符号のものは同一構造を有し、説明は省略する。
【００１９】
以上のように構成されたトイレ装置において、吸引し脱臭された空気の吹き出しは便器１３とロータンク１４の交差する凹部ｂに向かって行われ、この凹部ｂに吸収されるため、風切音をさらに低減することができる。
【産業上の利用可能性】
【００２０】
以上のように、本発明にかかるトイレ装置は、ケース側面に部屋暖房部等が設けられても吹き出しが十分行えるとともに、ロータンクからの手洗い等の散水が吹出口に侵入しないものとすることができるので、一般家庭において有用なものである。
【図面の簡単な説明】
【００２１】
【図１】本発明の実施の形態１におけるトイレ装置の要部縦断面図
【図２】同トイレ装置のケース側背面の斜視図
【図３】同トイレ装置の外観斜視図
【図４】本発明の実施の形態２におけるトイレ装置の要部縦断面図
【図５】同トイレ装置のケース側背面の斜視図
【符号の説明】
【００２２】
４  ファン
５  脱臭材
６  風洞
７  脱臭ユニット
８  ベース
９  ケース
１０  吹出口
１４  ロータンク
ａ  凸形状
ｂ  凹部
ｃ  部屋暖房部
【図１】
0004631269.tif 000002
【図２】
0004631269.tif 000003
【図３】
0004631269.tif 000004
【図４】
0004631269.tif 000005
【図５】
0004631269.tif 000006